(57)【要約】  ダイバーシティ結合の受信機は、複数の受信機チェーンが複数のアンテナに結合されることを可能にするスイッチング構造を使用する。
2007515900.tif 000002
【特許請求の範囲】
【請求項１】
少なくとも２つの受信機チェーンの各々を複数のアンテナの少なくとも２つの内の１つに結合するために適合したスイッチであって、前記スイッチは前記受信機チェーンを前記複数のアンテナに結合して各受信機チェーンが前記複数のアンテナの別の１つに結合されるようにさらに適合し、前記スイッチは少なくとも２つのサブ・スイッチを含み、各サブ・スイッチは前記少なくとも２つの受信機チェーンの別の１つに結合されるために適合する、スイッチ、
を含むことを特徴とする装置。
【請求項２】
前記スイッチによって前記受信機チェーンの各々に結合される前記複数のアンテナの１つは、予め定める基準に従って選択されることを特徴とする請求項１記載の装置。
【請求項３】
前記受信機チェーンの出力は、結合した出力を形成するために組み合わされることを特徴とする請求項１記載の装置。
【請求項４】
各サブ・スイッチは、前記複数のアンテナの少なくとも２つに結合されるように適合していることを特徴とする請求項１記載の装置。
【請求項５】
少なくとも１つのサブ・スイッチは、前記複数のアンテナのすべてに結合されるように適合していることを特徴とする請求項４記載の装置。
【請求項６】
少なくとも１つのサブ・スイッチは、前記複数のアンテナの１つを除くすべてに結合されるように適合していることを特徴とする請求項４記載の装置。
【請求項７】
各サブ・スイッチは、前記複数のアンテナの２つに結合されるように適合していることを特徴とする請求項４記載の装置。
【請求項８】
電力増幅器に、受信機チェーンに、および、前記サブ・スイッチの１つに結合されるために適合した第２スイッチであって、前記サブ・スイッチの１つは、前記第２スイッチを介して前記受信機チェーンおよび前記電力増幅器に結合される、第２スイッチ、
をさらに含むことを特徴とする請求項１記載の装置。
【請求項９】
前記サブ・スイッチの１つは、前記複数のアンテナのすべてに結合されるために適合していることを特徴とする請求項８記載の装置。
【請求項１０】
前記スイッチは、前記電力増幅器に、および、前記複数のアンテナのすべてに結合するサブ・スイッチをさらに含み、前記サブ・スイッチは前記電力増幅器を前記複数のアンテナの選択された１つに結合するために適合していることを特徴とする請求項１記載の装置。
【請求項１１】
複数のアンテナと、
少なくとも２つの受信機チェーンと、
少なくとも２つの受信機チェーンの各々を複数のアンテナの少なくとも２つの内の１つに結合するために適合したスイッチであって、前記スイッチは前記受信機チェーンを前記複数のアンテナに結合して各受信機チェーンが前記複数のアンテナの別の１つに結合されるようにさらに適合し、前記スイッチは少なくとも２つのサブ・スイッチを含み、各サブ・スイッチは前記少なくとも２つの受信機チェーンの別の１つに結合されるために適合する、スイッチ、
を含むことを特徴とするシステム。
【請求項１２】
前記少なくとも２つの受信機チェーンから信号を受信し、かつ前記信号を結合信号へ組み合わせるために適合したコンバイナ、
をさらに含むことを特徴とする請求項１１記載のシステム。
【請求項１３】
前記コンバイナから前記結合信号を受信し、かつ前記結合信号の復調および復号の少なくとも１つを実行するために適合した復調器／復号器、
をさらに含むことを特徴とする請求項１２記載のシステム。
【請求項１４】
前記スイッチによって前記受信機チェーンの各々に結合される前記複数のアンテナの１つは、予め定める基準に従って選択されることを特徴とする請求項１１記載のシステム。
【請求項１５】
各サブ・スイッチは、前記複数のアンテナの少なくとも２つに結合されるように適合していることを特徴とする請求項１１記載のシステム。
【請求項１６】
電力増幅器に、受信機チェーンに、および、前記サブ・スイッチの１つに結合されるために適合した第２スイッチであって、前記サブ・スイッチの１つは、前記第２スイッチを介して前記受信機チェーンおよび前記電力増幅器に結合される、第２スイッチ、
をさらに含むことを特徴とする請求項１１記載の装置。
【請求項１７】
前記スイッチは、前記電力増幅器に結合され、かつ前記複数のアンテナのすべてに結合されるように適合したサブ・スイッチをさらに含み、前記サブ・スイッチは電力増幅器を前記複数のアンテナの選択された１つに結合するために適合していることを特徴とする請求項１１記載の装置。
【請求項１８】
第１送受信機と通信するために適合した第２送受信機であって、前記第１送受信機は前記複数のアンテナ、前記少なくとも２つの受信機チェーン、および前記スイッチを含み、前記第２送受信機はアンテナ・ダイバーシティを欠き、前記第１送受信機は、第２送受信機のアンテナ・ダイバーシティの不足を補うデータ速度で前記第２送受信機に信号を送信するために適合している、第２送受信機、
をさらに含むことを特徴とする請求項１１記載のシステム。
【請求項１９】
予め定める基準を使用して、複数のアンテナからアンテナのサブセットを決定する段階と、
前記アンテナのサブセットから受信機チェーンの対応する数に信号を切り換える段階であって、各受信機チェーンは最良のアンテナの前記サブセットから前記信号の別の１つを受信し、各受信機チェーンは前記複数のアンテナの予め定めるサブセットからの信号のみを受信する、段階と、
を含むことを特徴とする方法。
【請求項２０】
ダイバーシティの組合せ技術に従って、前記受信機チェーンによって処理される信号を組み合わせる段階と、
をさらに含むことを特徴とする請求項１９記載の方法。
【請求項２１】
各受信機チェーンは、前記複数のンテナの任意の１つから信号を受信することを特徴とする請求項１９記載の方法。
【請求項２２】
各受信機チェーンは、前記複数のアンテナの１つ以外のすべてから成る前記複数のアンテナのサブセットから信号を受信することを特徴とする請求項１９記載の方法。
【請求項２３】
送信電力増幅器が前記複数のアンテナの任意の１つに接続されるように切り換える段階、
をさらに含むことを特徴とする請求項１９記載の方法。
【請求項２４】
前記電力増幅器によって送信された信号のデータ速度を遠隔の受信機のダイバーシティの不足を補うために調整する段階、
をさらに含むことを特徴とする請求項２３記載の方法。
【請求項２５】
命令を提供する機械読取り可能な媒体であって、コンピューティング・プラットフォームによって実行される場合、前記コンピューティング・プラットフォームは、
予め定める基準を使用して、複数のアンテナからアンテナのサブセットを決定する段階と、
前記アンテナのサブセットから受信機チェーンの対応する数に信号を切り換える段階であって、各受信機チェーンは最良のアンテナの前記サブセットから前記信号の別の１つを受信し、各受信機チェーンは前記複数のアンテナの予め定めるサブセットからの信号のみを受信する、段階と、
を含む動作を実行することを特徴とする機械読取り可能な媒体。
【請求項２６】
命令を提供する機械読取り可能な媒体であって、コンピューティング・プラットフォームによって実行される場合、前記コンピューティング・プラットフォームは、
ダイバーシティ組合せ技術に従って、前記受信機チェーンによって処理される信号を組み合わせる段階、
をさらに含む動作を実行することを特徴とする請求項２５記載の機械読取り可能な媒体。
【請求項２７】
各受信機チェーンは、前記複数のンテナの任意の１つから信号を受信することを特徴とする請求項２５記載の機械読取り可能な媒体。
【請求項２８】
各受信機チェーンは、前記複数のアンテナの１つ以外のすべてから成る前記複数のアンテナのサブセットから信号を受信することを特徴とする請求項２５記載の機械読取り可能な媒体。
【請求項２９】
命令を提供する機械読取り可能な媒体であって、コンピューティング・プラットフォームによって実行される場合、前記コンピューティング・プラットフォームは、
送信電力増幅器が前記複数のアンテナの任意の１つに接続されるように切り換える段階、
をさらに含む動作を実行することを特徴とする請求項２５記載の機械読取り可能な媒体。
【請求項３０】
命令を提供する機械読取り可能な媒体であって、コンピューティング・プラットフォームによって実行される場合、前記コンピューティング・プラットフォームは、
前記送信電力増幅器を用いて送信される信号のデータ速度を遠隔の受信機のダイバーシティの不足を補うために調整する段階、
をさらに含む動作を実行することを特徴とする請求項２９記載の機械読取り可能な媒体。
【請求項３１】
ダイバーシティの組合せを用いて第１送受信機によって送信される信号のデータ速度を第２送受信機で組合せるダイバーシティの使用の不足を補うために調整する段階、
を含むことを特徴とする方法。
【請求項３２】
前記調整する段階は、
予め定める誤り率で通信をサポートするために信号対雑音比を決定する段階と、
適切な送信データ速度を決定するために前記信号対雑音比を使用する段階と、
を含むことを特徴とする請求項３１記載の方法。
【請求項３３】
命令を提供する機械読取り可能な媒体であって、コンピューティング・プラットフォームによって実行される場合、前記コンピューティング・プラットフォームは、
ダイバーシティの組合せを用いて第１送受信機によって送信される信号のデータ速度を第２送受信機で組合せるダイバーシティの使用の不足を補うために調整する段階、
を含む動作を実行することを特徴とする機械読取り可能な媒体。
【請求項３４】
前記調整する段階は、
予め定める誤り率で通信をサポートするために信号対雑音比を決定する段階と、
適切な送信データ速度を決定するために前記信号対雑音比を使用する段階と、
を含むことを特徴とする請求項３３記載の機械読取り可能な媒体。
【発明の詳細な説明】
【技術分野】
【０００１】
本発明は，ダイバーシティ結合のためのアンテナ選択に関する。  
【背景技術】
【０００２】
多くのワイヤレスの通信システムは、ダイバーシティのために２以上のアンテナを使用する。このような場合、受信機装置は、１つのアンテナの出力を処理するために選択する（例えば、それは、いずれかのアンテナから「最適」な信号を処理することを決める。すなわち「最適」な信号を選択する基準は信号対雑音比、受信信号強度、雑音レベルなどを含んでいてもよいが、これらに制限されることはない）。次に、受信機装置に複数の受信機チェーンがある場合、複数の受信機チェーンの各々が特定のアンテナ出力を処理してもよい。その後、これらの受信機チェーンの出力は、あるアナログまたはデジタル組合せ方法に従って結合され、それは改善された受信となる。
【０００３】
いくつかの受信装置は、受信機チェーンより多くのアンテナを含んでいてもよい。このようなケースでは、アンテナからの信号を処理するためにどのアンテナに受信機チェーンが結合されなければならないかを選択することが必要である。
【０００４】
本発明の好ましい実施例は、関連する図面に関連して説明されるであろう。
【発明の開示】
【０００５】
「一実施例」、「実施例」、「実施の例」、「様々な実施例」などの表示は、本発明の実施例が特定の機能、構造または特性を含むが、あらゆる実施例がその特定の機能、構造または特性を必ず含むとは限らないことを示す。さらに、「実施例」なる語句の繰り返しの使用は必ずしも同じ実施例を参照するものではない。
【０００６】
次の説明および請求項において、「結合された」、「接続された」なる用語がそれらの派生語と共に使用される。これらの用語は、互いに同義語として意図されていないことに理解しなければならない。むしろ、特定の実施例では、「接続された」は、２またはそれ以上の要素が互いに物理的または電気的な直接の接触にあることを示すために使用される。「結合された」は、２またはそれ以上の要素が直接の物理的電気的な接触中であることを意味する。しかしながら、「結合された」は、さらに２つ以上の要素が互いに直接の接触はないが、互いに協働または相互作用することを意味する。
【０００７】
アルゴリズムは、一般に、所望した結果に通じる行為または動作の一貫したシーケンスであると考えられる。これらは、物理量の物理的な操作を含む。通常、必然的ではないが、これらの量は、格納、転送、結合、比較、および他の処理をすることができる電気的または磁気的信号の形式をとる。これらの信号をビット、値、要素、シンボル、文字、用語、数または同種のものと称することは、主に一般的慣習という理由から、しばしば便宜であるということが理解されている。しかしながら、これらのおよび類似した言い回しのすべては適切な物理量と関係しており、そのすべてが単にこれらの量に適用される便利なラベルに過ぎないことを理解すべきである。
【０００８】
特に別な方法で述べられない限り、以下の議論から明らかなように、本明細書全体に亘って「処理する」、「演算する」、「判断する」、「計算する」または同種の用語の利用は、コンピュータまたはコンピュータ・システムまたは同種の電子コンピューティング装置の動作または処理に言及するものであり、それはコンピューティング・システムのレジスタおよび／またはメモリ内の電気的な物理量として表わされたデータを、コンピューティング・システムのメモリ、レジスタまたは情報の格納、伝送または表示装置のようなその他の内部に物理量として表わされる類似した他のデータへ、操作および／または変換する。
【０００９】
同様の方法で、用語「プロセッサ」は、あらゆる装置または装置の一部を指すことがあり、レジスタおよび／またはメモリからの電子データを処理し、レジスタおよび／またはメモリに格納される他の電子データに変換する。「コンピューティング・プラットフォーム」は１またはそれ以上のプロセッサを含んでいてもよい。
【００１０】
本発明の実施例は、動作を実行するための装置を含む。装置は、所望の目的のために特に構築され、それは装置に格納されたプログラムによって選択的に起動され、あるいは再構成される汎用目的の装置を含む。
【００１１】
本発明の実施例は、ハードウェア、ファームウェアおよびソフトウェアの１またはそれらの組合せで実行される。本発明の実施例は、機械読取り可能な媒体上に格納された命令として実行されてもよく、それはここに説明された動作を実行するためにコンピューティング・プラットフォームによって読み込まれ、実行される。機械読取り可能な媒体は、マシン（例えば、コンピュータ）によって読取り可能な形式で情報を格納し、または送信するためのあらゆるメカニズムを含む。例えば、機械読取り可能な媒体は、リード・オンリ・メモリ（ＲＯＭ）、ランダム・アクセス・メモリ（ＲＡＭ）、磁気ディスク格納媒体、光格納媒体、フラッシュ・メモリ装置、電気的、光学的、音響的、あるいは伝播信号の他の形式（例えば、搬送波、赤外線信号、デジタル信号など）を含む。
【００１２】
図１は、本発明の実施例の典型的例を含む概念ブロック図を示す。本発明の実施例に従う受信機システムは、スイッチ２に接続された複数のアンテナ１（１ａ，１ｂ，１ｃ，１ｄ）を含む。スイッチ２は、２またはそれ以上の受信機チェーンに接続され、その２つは図中に示される７ａ，７ｂである。受信機チェーン（例えば７ａ）は、低ノイズ・アンプ（ＬＮＡ）３ａ、自動利得制御（ＡＧＣ）４ａ、ミキサ５ａおよびアナログ・デジタル変換器（ＡＤＣ：Analog-to-Digital Converter）６ａの１つ以上を含む。各々の受信機チェーン７ａ，７ｂは、ダイバーシティ結合方法によって受信機チェーン７ａ，７ｂの出力を組み合わせるために適合したコンバイナ８に接続される。このようなダイバーシティ結合方法の１つの例（本発明がこれに制限されることはない）は、極大比率結合（maximal
ratio combining）である。ダイバーシティ結合８に続いて、通常の復調および／または復号９が結果（結合）信号上で実行される。スイッチ２使用することによって、２つの信号は、すなわちそれらは予め定められた判定基準または基準（その例は信号対雑音比、受信信号強度およびノイズ・レベルであるが、これらに制限されることはない）に従って選択されるが、受信機チェーン７ａ，７ｂ中で処理するために選択される。
【００１３】
図１では、コンバイナ８は、ＡＤＣ６ａ，６ｂに続いて接続されるように示される。しかしながら、他の実施例では、コンバイナ８は、アナログ信号（つまり、ＡＤＣ６ａ，６ｂの前）に接続されてもよく、単一のＡＤＣが使用され、結合した後アナログ信号をデジタル信号に変換してもよい。代わりに、復調器／復号器９がアナログ信号を扱うことができるように設計されている場合、ＡＤＣをすべて省略することは可能である。
【００１４】
本発明の別の実施例が図２に示され、それはスイッチ２の第１実施例を含む。この実施例では、スイッチ２は２つの４×２サブ・スイッチを含み、各々は受信機チェーン７ａ，７ｂの１つをアンテナ１の任意の１つに結合するために適合している。より一般的な設定では、Ｋ個のアンテナおよびＮ個の受信機チェーンがあり、これは、Ｎ個のＫ×１サブ・スイッチを使用することと均等であろう。この配置では、任意の受信機チェーン７ａ，７ｂはアンテナ１の任意の１つに接続される。
【００１５】
図２の実施例は、典型的には送信のために使用される電力増幅器１０をさらに含む。送信を行なうために、スイッチ２は、電力増幅器１０の出力を４つのアンテナ１の任意の１つに結合するために適合した４×１サブ・スイッチをさらに含む。例えば、スイッチ２が送受信機の一部として含まれている場合、このような配置は有用であろう。
【００１６】
図３は、本発明の別の実施例を示す。この実施例では、スイッチ２は、２つの３×１サブ・スイッチを含み、各々は４つのアンテナ出力の３つを受信機チェーン７ａ，７ｂの１つへ切り換えるために適合する。例えば、図３に示されるように、１つの３×１スイッチはアンテナ１ａ，１ｂ，１ｃの１つを受信機チェーン７ａに結合するために適合しており、また、別の３×１サブ・スイッチはアンテナ１ｂ，１ｃ，１ｄの１つを受信機チェーン７ｂに結合するために適合する。これは単に典型的な配置であり、本発明がこの配置に限定されるとして理解すべきでないことに注意すること。前出の実施例のように、スイッチ２は、電力増幅器１０の出力を４つのアンテナ１の１つに結合するために適合した４×１サブ・スイッチをさらに含む。
【００１７】
図３の実施例では、受信機チェーン７ａ，７ｂそれぞれは、すべてのアンテナ１に結合することはできないが、このスイッチング配置は４つのアンテナ１の２つの組合せすべてが受信できるように、各受信機チェーン７ａ，７ｂはアンテナ１の異なる１つに結合されてもよい。
【００１８】
図３の実施例は、Ｋ個のアンテナおよびＮ個の受信機チェーンのケースに一般化される。そのケースでは、スイッチ２はＮ個の（Ｋ−Ｎ＋１）×１サブ・スイッチを含み、各々はＮ個の受信機チェーンの１つに結合され、特定の受信機チェーンをＫ個のアンテナのＫ−Ｎ＋１の１つと結合するために適合する。
【００１９】
図４は、本発明の別の実施例を示す。この実施例では、スイッチ２はカスケードされたスイッチング配置を含み、それはスイッチ２ａ，２ｂを含む。スイッチ２ａは、３×１サブ・スイッチおよび４×１サブ・スイッチを含み、その一方でスイッチ２ｂは、４×１サブ・スイッチに結合される２×１スイッチを含む。この配置では、スイッチ２ｂは、電力増幅器１０および受信機チェーン７ｂに結合される。スイッチ２ｂは、電力増幅器１０および受信機チェーン７ｂの１つをスイッチ２ａの４×１サブ・スイッチに結合するために適合する。スイッチ２ａの４×１サブ・スイッチは、電力増幅器１０または受信機チェーン７ｂ（いずれかが２×１スイッチ２ｂによって４×１サブ・スイッチに結合される）のいずれかを４つのアンテナ１の１つに代わるがわる結合するために適合する。スイッチ２ａの３×１サブ・スイッチは、受信機チェーン７ａを４つのアンテナのうちの３つ、例えば、アンテナ１ａ，１ｂ，１ｃの１つに結合するために適合するが、これに制限されることはない。図３の実施例でのように、図４の実施例の受信機チェーン７ａ，７ｂそれぞれはアンテナ１のすべてに結合することはできないが、このスイッチング配置は４つのアンテナ１の２つの組合せすべてが受信できるように、各受信機チェーン７ａ，７ｂはアンテナ１の異なる１つに結合されてもよい。
【００２０】
図４の実施例は、Ｋ個のアンテナおよびＮ個の受信機チェーンのケースに一般化されることに注意すること。このようなケースでは、受信機チェーンのＮ−１は、スイッチ２ａ中の（Ｎ−１）（Ｋ−１）×１サブ・スイッチによって、Ｋ個のアンテナ中のＫ−１の１つに結合され、その一方で電力増幅器およびＮ番目の受信機チェーンは、スイッチ２ａ中のＫ×１サブ・スイッチに結合された２×１スイッチ２ｂに結合される。
【００２１】
図４の実施例は、図２および図３の実施例より単純なスイッチング構造を考慮に入れる。他方で、カスケードされたスイッチ・ネットワークの使用は挿入損を招く。しかしながら、一般に、そのような挿入損はどちらかと言えば小さい（例えば、０−６ＧＨｚのバンド中の信号に対しては約０．４デシベル）。
【００２２】
図５は、カスケードされたスイッチングを使用する本発明の別の実施例を示す。この実施例では、受信機チェーン７ｂおよび電力増幅器１０は、２×１スイッチ２ｂによって再度スイッチ２ａに結合される。しかしながら、この実施例では、スイッチ２ａは、スイッチ２ｂに結合される４×１サブ・スイッチ、および、受信機チェーン７ａに結合される２×１サブ・スイッチを含む。この方法では、電力増幅器１０または受信機チェーン７ｂのいずれかは、アンテナ１のいずれかに結合される。他方で、受信機チェーン７ａは、単に、４つのアンテナ１中の２つの内の１つに結合される。すなわち、図５では、これらの２つのアンテナは、アンテナ１ａおよび１ｂ（しかしながら、これは単に例であり、本発明はこのケースに制限されないとして理解すべきである）となるであろう。その結果として、図５で示される典型的な例では、２つのアンテナのすべての組合せは、アンテナ１ｃ，１ｄの組合せを除いて、受信機チェーン７ａ，７ｂに接続される。その結果、図５のスイッチング配置はより単純になるが、しかし、この仮想的な組合せを達成することは不可能なので、それは最適状態にはならない。
【００２３】
前出の実施例のように、もし所望されるなら、図５の実施例は、Ｋ個のアンテナおよびＮ個の受信機チェーンのケースに一般化される。更に、図４の実施例に関して上述されたように、カスケードされたスイッチングの使用は付加的な挿入損が加わる。
【００２４】
図６は、カスケードされたスイッチングのない本発明の別の実施例を示す。この実施例では、スイッチ２は、各受信機チェーン７ａ，７ｂと電力増幅器１０用の個別のサブ・スイッチを有する。図示する実施例では、電力増幅器１０に接続されるスイッチは４×１サブ・スイッチであり、電力増幅器１０が４つのアンテナ１のどれにも結合されることを可能にする。各受信機チェーン７ａ，７ｂは、スイッチ２中の２×１サブ・スイッチに結合され、それは受信機チェーン７ａ，７ｂの各々が４つのアンテナ１の２つの内の１つに結合されることを可能にする。図６では、受信機チェーン７ａはアンテナ１ａまたはアンテナ１ｂに結合され、その一方で受信機チェーン７ｂはアンテナ１ｃまたはアンテナ１ｄに結合される。これらの結合は典型例であり、本発明がこのように制限されることはないことに注意すること。したがって、この実施例において、受信機チェーン７ａ，７ｂは、アンテナ｛（１ａ，１ｃ），（１ａ，１ｄ），（１ｂ，１ｃ），（１ｂ，１ｃ）｝の組合せに結合されるが、これらは組合せ｛（１ａ，１ｂ），（１ｃ，１ｄ）｝に結合されることはない。その結果、アンテナがこの２つの仮想的な組合せを達成することは可能ではない。
【００２５】
再び、前出の実施例のように、図６の実施例はＫ個のアンテナおよびＮ個の受信機チェーンに一般化される。
【００２６】
図７は、Ｋ個のアンテナおよびＫ−１個の受信機チェーンの場合における本発明の別の典型的な実施例の例を示す。図７の典型的な例で示されるように、４つのアンテナ１と３つの受信機チェーン７ａ，７ｂ，７ｃがある。この場合、スイッチ２は、各々が受信機チェーン７ａ，７ｂ，７ｃの１つに結合される３つの２×１サブ・スイッチ、および、電力増幅器１０に結合される１つの４×１サブ・スイッチからなる。このような配置では、電力増幅器１０は４つのアンテナ１のどれかに結合され、また、受信機チェーン７ａ，７ｂ，７ｃの各々は４つのアンテナ１の２つに接続される。スイッチのこの配置を使用して、３つの受信機チェーン７ａ，７ｂ，７ｃによって処理するために４つのアンテナ１から任意の３つのアンテナを選択することが可能である。
【００２７】
Ｋ個のアンテナおよびＫ−１個の受信機チェーンに対して図７の実施例を一般化すると、スイッチ２はＫ−１個の２×１サブ・スイッチを含むことができ、その各々は、Ｋ−１個の受信機チェーンの１つに結合される。
【００２８】
上記の実施例は、対称または非対称のアップリンク・ダウンリンク組合せの中で使用されてもよい。ここで、対称な組合せは、それらの受信機中でアップリンクとダウンリンクの両方が同じダイバーシティ配置を用いるもので、例えば、上記実施例の１つで議論されたものである。非対称の組合せは、アップリンクとダウンリンクの受信機がダイバーシティ配置で異なっているものである。ダイバーシティは一般に処理ゲインに帰着するので、非対称のチャネルでは、ダイバーシティ処理ゲインは、一方の方向に存在するが他方には存在しない（あるいは、異なる処理ゲインであってもよい）。
【００２９】
例として、図９に示されるように、チャネルは、例えば９デシベル（有効信号対雑音比において）の処理ゲインとなるダイバーシティを使用する送受信機９１を一方端に有する一方、チャネルの他方端にはダイバーシティを使用しない送受信機９２を有することができる。ダイバーシティを使用する送受信機９１は、その伝送データ速度を減少するためにこの処理ゲイン差についての知識を用い、同じ処理ゲインを欠くその相手方送受信機９２を補償することができる。換言すれば、ダイバーシティを備える送受信機９１は、ダイバーシティを欠く送受信機９２における処理ゲインの不足に対応して、所望のシンボル（あるいはビット）誤り率をサポートするために必要な信号対雑音比を９デシベルだけ削減するようにそのデータ速度を低下させてもよい（上記の例を用いて、本発明の範囲を制限するものとして理解すべきではない）。そのようなデータ速度の後退量は、例えば、信号対雑音比の機能として誤り率を計算する周知の方法を使用して決定される。
【００３０】
上記のアルゴリズムは、また例えば、アンテナおよび／または送受信機チェーンの数、出力電力、および／または受信機感度に関する情報を使用してもよい。このような情報は、例えば、通信リンクが確立されると、送受信機間で交換されてもよい。
【００３１】
上述のように、本発明のいくつかの実施例は、機械読取り可能な媒体上のソフトウェ命令の形式で具体化されてもよい。そのような実施例は、図８に図示される。図８のコンピュータ・システムは、例えばオペレーティング・システム・ソフトウェアや同種のものを格納する関連するシステム・メモリ８１を具備する少なくとも１つのプロセッサ８２を含む。本システムは、さらに付加メモリ８３を含んでもよく、それには様々なアプリケーションを実行するソフトウェア命令を含めることができる。本システムは、さらに１以上の入出力（Ｉ／Ｏ）装置８４、例えばキーボード、マウス、トラックボール、プリンタ、ディスプレイ、ネットワーク接続など（これらには限定されない）を含んでもよい。本発明は、システム・メモリ８１または付加メモリ８３に格納されるソフトウェア命令として具体化することができる。そのようなソフトウェア命令は、取り外し可能なまたは外部の媒体（例えば、これらには限定されないがコンパクト・ディスク、フロッピーディスクなど）に格納することができ、それはＩ／Ｏデバイス８４（例えば、これらには限定されないがフロッピーディスク・ドライブ）を介して読取ることができる。更に、そのソフトウェア命令は、Ｉ／Ｏデバイス８４、例えばネットワーク接続を介してコンピュータ・システムに伝送でき、そのようなケースでは、ソフトウェア命令を含む信号は機械読取り可能な媒体であるとみなすことができる。
【００３２】
更に、本発明は、ワイヤレス・ローカル・エリア・ネットワーク（ＷＬＡＮ）、セルラー・ネットワーク、パーソナル通信ネットワークなど含むシステム中で使用されてもよいが、これらには限定されることはない。本発明は、送受信機、ネットワーク・インターフェイス・カードお（ＮＩＣ）よび同種のものに組み入れられてもよく、それは限定する意図としての例ではない。
【００３３】
本発明が好適な実施例に関して詳細に説明され、また、変更および修正がそのより広い側面における本発明から逸脱せずに想到されることは前述した事項から当業者には明らかであろう。したがって、本発明は、添付した請求項で定義されるように、本発明の思想の範囲内に入る変更および修正をすべてカバーするように意図される。
【図面の簡単な説明】
【００３４】
【図１】本発明の典型的な第１実施例を実施するシステムの概念ブロック図を示す。
【図２】本発明の典型的な第２実施例を実施するシステムの概念ブロック図を示す。
【図３】本発明の典型的な第３実施例を実施するシステムの概念ブロック図を示す。
【図４】本発明の典型的な第４実施例を実施するシステムの概念ブロック図を示す。
【図５】本発明の典型的な第５実施例を実施するシステムの概念ブロック図を示す。
【図６】本発明の典型的な第６実施例を実施するシステムの概念ブロック図を示す。
【図７】本発明の典型的な第７実施例を実施するシステムの概念ブロック図を示す。
【図８】本発明の実施例の概念ブロック図を示す。
【図９】本発明の実施例を実施するシステムの概念ブロック図を示す。
【図１】
2007515900.tif 000003
【図２】
2007515900.tif 000004
【図３】
2007515900.tif 000005
【図４】
2007515900.tif 000006
【図５】
2007515900.tif 000007
【図６】
2007515900.tif 000008
【図７】
2007515900.tif 000009
【図８】
2007515900.tif 000010
【図９】
2007515900.tif 000011
【国際調査報告】
2007515900.tif 000012
2007515900.tif 000013
2007515900.tif 000014
2007515900.tif 000015
2007515900.tif 000016